(57)【要約】【課題】給水口から収容空間に流入する水を、無駄なく固形製剤に接触させることができ、給水口の開口面積の増減によって固形製剤に接触させる水量を調節することができ、水量の調節によって固形製剤の溶出量を適切に設定することが可能な製剤容器を提供すること。【解決手段】上部容器５１と下部容器５２とで固形製剤２を収容する収容空間４を画成する容器本体５と、容器本体５の内面に設けられて固形製剤２を収容空間４内に支持する製剤支持部材と、上部容器５１に貫通形成されて上部容器５１に流下された水を収容空間４に流入させる給水口５１１と、下部容器５２に貫通形成されて収容空間４内を流下した水を排出する排水口５２１と、容器本体５の内面に設けられて給水口５１１から収容空間４に流入する水を製剤支持部材に支持されている固形製剤２の上面に誘導する導水部材８と、を備える。【選択図】図９
2016108821.tif 000002
【特許請求の範囲】
【請求項１】
固形製剤の上方を覆う上部容器と、前記固形製剤の下方を覆う下部容器とで、前記固形製剤を収容する収容空間を画成する容器本体と、
前記容器本体の内面に設けられて前記固形製剤を前記収容空間内に支持する製剤支持部材と、
前記上部容器に貫通形成されて、前記上部容器に流下された水を前記収容空間に流入させる給水口と、
前記下部容器に貫通形成されて、前記収容空間内を流下した水を排出する排水口と、
前記容器本体の内面に設けられて、前記給水口から前記収容空間に流入する水を、前記製剤支持部材に支持されている前記固形製剤の上面に誘導する導水部材と、
を備えたことを特徴とする製剤容器。
【請求項２】
前記給水口は、前記上部容器の周縁部の周方向に間隔を空けた複数箇所に、装備されたことを特徴とする請求項１に記載の製剤容器。
【請求項３】
前記固形製剤の成分が溶出した溶液が通過可能な透水性を有する材料で略皿状に形成されて前記固形製剤が載置される製剤トレイと、
前記製剤トレイに載置された前記固形製剤の上方を覆って、前記固形製剤が前記製剤トレイから脱落するのを防止すると共に、流下した水の透過を許容する透水性シートと、
を備え、
前記固形製剤は、前記製剤トレイを介して前記製剤支持部材に支持されることを特徴とする請求項１又は２に記載の製剤容器。
【発明の詳細な説明】
【技術分野】
【０００１】
本発明は、水との接触で成分が溶出する固形製剤（例えば、芳香洗浄剤）を収容して、貯水タンク式水洗トイレにおけるタンク上蓋の蛇口の下に設置される製剤容器に関する。
【背景技術】
【０００２】
下記特許文献１には、上記製剤容器として、上部を開放した椀形に形成されると共に内底の中央部に固形製剤が載置される本体と、この本体の上部開放部を覆う略ドーム型の蓋体と、を備えた容器が提案されている。
【０００３】
この特許文献１の容器は、蓋体の頂部から外れた周縁部に複数の揮散口を装備すると共に、本体内には、揮散口から流入した水が直接固形製剤に接触しないように固形製剤の周囲を囲う遮水壁を設けている。そして、本体内の固形製剤への給水は、遮水壁の内側となる内底に貫通形成した取水口で行い、遮水壁に形成したスリット状の導水孔で薬剤が浸水しないように排水の調節を行う。固形製剤と接触して固形製剤の成分が溶出した溶液は、本体の内底の中心に形成した排水口から、水洗トイレのタンクに排出するようにしている。
【０００４】
この特許文献１の容器の場合、水洗トイレにおけるタンク上蓋の蛇口から蓋体の上に流下した水は、その一部が、蓋体に装備された揮散口から容器内部に流入し、揮散口に流入しない水は、容器の外面を伝って、タンク上蓋に排出される。そして、揮散口から容器内部に流入した水は、容器本体内面に沿って容器内底に流下し、遮水壁によって、水が薬剤に接触することなく、余剰水排出口からタンク上蓋へ排出される。薬剤は遮水壁内側の容器底面に設けられた取水口から流入した水によって、固形製剤の成分が溶出し、本体の内底の中心の排水口から、水洗トイレのタンクに排出される。
【０００５】
このように、特許文献１の容器の場合、揮散口から容器内部に流入した水は、固形製剤に当たらないため、流水の勢いで固形製剤が局部的に溶出して崩壊することを防止することができる。
【先行技術文献】
【特許文献】
【０００６】
【特許文献１】特開２００４−３２４４１０号公報
【発明の概要】
【発明が解決しようとする課題】
【０００７】
ところが、特許文献１の容器の場合、容器内の固形製剤への水の供給は、固形製剤の外周囲に限られていて、固形製剤の溶出部位が限られているため、蓋体の揮散口の開口面積を増加させて、容器内に流入する水量を増大させても、その水量に相応して固形製剤の成分の溶出量を増大させることができない。
【０００８】
また、特許文献１の容器の場合、遮水壁の内側となる内底に取水口が貫通形成されているため、タンク上蓋に貯まる水を遮水壁の内側に導いて、固形製剤の溶出を促進することが可能である。しかし、その反面、固形製剤の底面で取水口と対向する位置の溶出が進むと、固形製剤と水が十分に接触せずに取水口や排水口から外部に漏出してしまう場合がある。言い換えると、容器内に流入した水が、無駄に容器を通過してしまうおそれがあって、固形製剤の溶出量を適切に設定することができず、適切な濃度の薬剤溶液を安定して得ることができないという問題があった。
【０００９】
そこで、本発明の目的は、上記課題を解消することに係り、給水口から収容空間に流入する水を、無駄なく固形製剤に接触させることができ、給水口の開口面積の増減によって固形製剤に接触させる水量を適切に調節することができ、水量の調節によって、固形製剤の溶出量を適切に設定し、適切な濃度の薬剤溶液を安定して得ることが可能な製剤容器を提供することにある。
【課題を解決するための手段】
【００１０】
本発明の前述した目的は、下記の構成により達成される。
（１）固形製剤の上方を覆う上部容器と、前記固形製剤の下方を覆う下部容器とで、前記固形製剤を収容する収容空間を画成する容器本体と、
前記容器本体の内面に設けられて前記固形製剤を前記収容空間内に支持する製剤支持部材と、
前記上部容器に貫通形成されて、前記上部容器に流下された水を前記収容空間に流入させる給水口と、
前記下部容器に貫通形成されて、前記収容空間内を流下した水を排出する排水口と、
前記容器本体の内面に設けられて、前記給水口から前記収容空間に流入する水を、前記製剤支持部材に支持されている前記固形製剤の上面に誘導する導水部材と、
を備えたことを特徴とする製剤容器。
【００１１】
（２）前記給水口は、前記上部容器の周縁部の周方向に間隔を空けた複数箇所に、装備されたことを特徴とする上記（１）に記載の製剤容器。
【００１２】
（３）前記固形製剤の成分が溶出した溶液が通過可能な透水性を有する材料で略皿状に形成されて前記固形製剤が載置される製剤トレイと、
前記製剤トレイに載置された前記固形製剤の上方を覆って、前記固形製剤が前記製剤トレイから脱落するのを防止すると共に、流下した水の透過を許容する透水性シートと、
を備え、
前記固形製剤は、前記製剤トレイを介して前記製剤支持部材に支持されることを特徴とする上記（１）又は（２）に記載の製剤容器。
【００１３】
上記（１）の構成によれば、給水口から収容空間に流入する水が、導水部材によって固形製剤の上面に誘導されるため、給水口から収容空間に流入する水を、無駄なく固形製剤に接触させることができる。そのため、前記給水口の開口面積の増減によって、固形製剤に接触させる水量を調節することで、固形製剤の溶出量を適切に設定することが可能になり、固形製剤の溶出量を使用目的に適した値に設定することが可能になる。また、固形製剤の溶出量が使用目的に最適となる製剤容器の設計を容易にすることができる。
【００１４】
上記（２）の構成によれば、上部容器の上方から、上部容器の中心部に給水を受ける場合に、給水は、上部容器の中心部への衝突によって勢いが弱められ、上部容器の周縁に分散し、上部容器の周縁部の複数の給水口から、収容空間内の固形製剤の上面に供給される。そのため、固形製剤の上面の全域に、略均等に水を供給して、水と固形製剤との接触を安定させることができる。そのため、水との接触による固形製剤の成分の溶出を、固形製剤の略全域で均等化することができ、安定した固形製剤の溶出を維持することができる。
【００１５】
上記（３）の構成によれば、製剤トレイ及び透水性シートによって、固形製剤に形状不変の外殻が付与され、使用の経過によって固形製剤が小さくなっても、容器本体内の所定位置に固形製剤を位置決めしておくことができ、固形製剤の安定した溶出を長期に亘って維持することができる。
【発明の効果】
【００１６】
本発明による製剤容器によれば、給水口から収容空間に流入する水を、無駄なく固形製剤に接触させることができ、給水口の開口面積の増減によって固形製剤に接触させる水量を調節することができ、水量の調節によって固形製剤の溶出量を適切に設定することができる。
【００１７】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明に係る製剤容器の一実施形態の斜視図である。
【図２】図２は、本発明の一実施形態の製剤容器の平面図である。
【図３】図３は、本発明の一実施形態の製剤容器の側面図である。
【図４】図４は、本発明の一実施形態の製剤容器の底面図である。
【図５】図５は、本発明の一実施形態の製剤容器の分解斜視図である。
【図６】図６は、図５に示した下部容器の側面図である。
【図７】図７は、図５に示した下部容器の平面図である。
【図８】図８は、図５に示した下部容器に、製剤容器に収容した固形製剤が装填された状態の側面図である。
【図９】図９は、図２のＡ−Ａ断面図である。
【図１０】図１０は、本発明の実施形態と比較例による試験例の結果を表すグラフである。
【発明を実施するための形態】
【００１９】
以下、本発明に係る製剤容器の好適な実施形態について、図面を参照して詳細に説明する。
図１〜図９は本発明に係る製剤容器の一実施形態を示したもので、図１は本発明に係る製剤容器の一実施形態の斜視図、図２は本発明の一実施形態の製剤容器の平面図、図３は本発明の一実施形態の製剤容器の側面図、図４は本発明の一実施形態の製剤容器の底面図、図５は本発明の一実施形態の製剤容器の分解斜視図、図６は図５に示した下部容器の側面図、図７は図５に示した下部容器の平面図、図８は図５に示した下部容器に、製剤容器に収容した固形製剤が装填された状態の側面図、図９は図２のＡ−Ａ断面図である。
【００２０】
この一実施形態の製剤容器１は、図５及び図９に示すように、水との接触で成分が溶出する固形製剤２が充填された透水性パッケージ３と、固形製剤２を収容する収容空間４を画成した容器本体５と、容器本体５の内面に装備される製剤支持部材７及び導水部材８と、を備えている。
【００２１】
本実施形態の固形製剤２は、トイレ用の芳香洗浄剤で、芳香剤の成分と洗浄剤の成分とを含有している。また、固形製剤２は、図８及び図９に示すように、透水性パッケージ３に充填された状態のまま、容器本体５の収容空間４に収容される。
【００２２】
本実施形態の製剤容器１は、貯水タンク式水洗トイレにおけるタンク上蓋の蛇口の下に設置され、タンクへの給水が当該製剤容器１を通過することで、固形製剤２の成分が溶出した溶液をタンクに供給する。
【００２３】
透水性パッケージ３は、固形製剤２の周囲を覆う全容器壁が透水性を有する容器で、図９に示すように、固形製剤２が載置される製剤トレイ３１と、この製剤トレイ３１の外周に設けられたフランジ部３１ａと、製剤トレイ３１に載置された固形製剤２の上方を覆う透水性シート３３と、を備えている。
【００２４】
製剤トレイ３１は、固形製剤２の成分が溶出した溶液が通過可能な透水性を有する不織布等の材料で略皿状に形成されている。この製剤トレイ３１は、例えば、不織布をプレス成形することで、所定の立体形状に成形されている。製剤トレイ３１には、製剤トレイ３１に収容可能な大きさに成形された固形製剤２が充填される。
【００２５】
フランジ部３１ａは、製剤トレイ３１の外周部から径方向外方に張り出した鍔状に形成されたものである。
【００２６】
透水性シート３３は、図５に示すように、水を透過するための多数の透水孔３３ａが所定の間隔で配列された樹脂製シートで、製剤トレイ３１に載置された固形製剤２の上方を覆っている。また、透水性シート３３は、周縁部が、接着剤によりフランジ部３１ａに貼着される。この透水性シート３３は、固形製剤２が製剤トレイ３１から脱落するのを防止すると共に、当該透水性シート３３の上に流下した水の透過を許容する。
【００２７】
製剤トレイ３１のフランジ部３１ａは、後述する製剤支持部材７（図５参照）に対応して半径方向内方に後退した後退部３１ｂが形成されている。透水性パッケージ３は、後述する製剤支持部材７（図５参照）が、製剤トレイ３１のフランジ部３１ａに貼着された透水性シート３３の、後退部３１ｂにおける下面に当接することで、収容空間４内に支持される。即ち、固形製剤２は、製剤トレイ３１を介して、製剤支持部材７に支持される。
【００２８】
容器本体５は、透水性パッケージ３の外側から固形製剤２の上方を覆う上部容器５１と、透水性パッケージ３の外側から固形製剤２の下方を覆う下部容器５２とで、固形製剤２を透水性パッケージ３ごと収容する収容空間４を画成している。
【００２９】
上部容器５１及び下部容器５２は、平面視の外郭形状が、ハート型の容器である。
【００３０】
上部容器５１には、図１及び図２に示すように、複数の給水口５１１が、貫通形成されている。これらの複数の給水口５１１は、水洗トイレにおけるタンク上蓋の蛇口から上部容器５１に流下された水を収容空間４に流入させる開口である。
本実施形態の上部容器５１の場合、複数の給水口５１１は、上部容器５１の周縁部の周方向に間隔を空けた複数箇所に、装備されている。
【００３１】
各給水口５１１は、開口の形状が、上部容器５１の外郭形状と同様のハート型に形成されている。各給水口５１１は、これらの給水口５１１から容器内に適正量の水を流入させることができるように、開口面積が設定される。ここに、適正量の水とは、固形製剤２との接触によって固形製剤２から溶出する成分の量（溶出量）が、予め想定した値となるときの水量である。
【００３２】
下部容器５２は、図４〜図７に示すように、中央部に、排水口５２１が貫通形成されている。この排水口５２１は、収容空間４内を流下した水を、外部（水洗トイレにおけるタンク上蓋）に排出する開口である。
【００３３】
製剤支持部材７は、図５及び図７に示すように、容器本体５の内面に設けられる。更に詳しく説明すると、本実施形態の製剤支持部材７は、下部容器５２の内面で、排水口５２１の周縁の３箇所に一体形成されている。各製剤支持部材７は、排水口５２１の周縁に立設された支柱である。製剤支持部材７と透水性パッケージ３の後退部３１ｂによって透水性パッケージ３を容器本体５の中央部に誘導し、支持する。
【００３４】
導水部材８は、容器本体５の内面に設けられている。更に詳しく説明すると、本実施形態の導水部材８は、図５及び図９に示すように、下部容器５２の内面上で、給水口５１１よりも外側となる２箇所に、一体形成されている。また、導水部材８は、図９に示すように、製剤支持部材７により支持された透水性パッケージ３の周囲に立設された邪魔板で、図９に矢印Ｘで示すように、給水口５１１から収容空間４に流入する水を、収容空間４の中心側に反射させて、水を製剤支持部材７に支持されている透水性パッケージ３の上面に誘導する。導水部材８によって透水性パッケージ３の上面に誘導された水は、透水性シート３３の透水孔３３ａを通過して、透水性パッケージ３内の固形製剤２の上面に流下する。
【００３５】
換言すると、導水部材８は、給水口５１１から収容空間４に流入する水を、透水性パッケージ３内の固形製剤２の上面に誘導する。
【００３６】
以上に説明した一実施形態の製剤容器１の場合、給水口５１１から収容空間４に流入する水が、導水部材８によって固形製剤２の上面に誘導されるため、給水口５１１から収容空間４に流入する水を、無駄なく固形製剤２に接触させることができる。そのため、給水口５１１の開口面積の増減によって、固形製剤２に接触させる水量を調節することで、固形製剤２の溶出量を適切に設定することが可能になり、固形製剤２の溶出量を使用目的に適した値に設定することが可能になる。また、固形製剤２の溶出量が使用目的に最適となる製剤容器１の設計を容易にすることができる。
【００３７】
また、一実施形態の製剤容器１の場合、上部容器５１の上方から、上部容器５１の中心部に給水を受ける場合に、給水は、上部容器５１の中心部への衝突によって勢いが弱められ、上部容器５１の周縁に分散し、上部容器５１の周縁部の複数の給水口５１１から、収容空間４内の固形製剤２の上面に供給される。そのため、固形製剤２の上面の全域に、略均等に水を供給して、水と固形製剤２との接触を安定させることができる。そのため、水との接触による固形製剤２の成分の溶出を、固形製剤２の略全域で均等化することができ、安定した固形製剤２の溶出を維持することができる。
【００３８】
また、一実施形態の製剤容器１の場合、製剤トレイ３１及び透水性シート３３によって、固形製剤２に形状不変の外殻が付与され、使用の経過によって固形製剤２が小さくなっても、容器本体５内の所定位置に固形製剤２を位置決めしておくことができ、固形製剤２の安定した溶出を長期に亘って維持することができる。
【００３９】
（薬剤の溶解性試験）
製剤容器に導水部材を設けることで固形製剤の溶出量が適切な濃度で安定して溶出するかどうかを確認する試験を行った。
【００４０】
（１）設置
図１に記載の製剤容器の形状において、導水部材８を設けた製剤容器Ａ（本発明の実施形態）と設けていない製剤容器Ｂ（比較例）に市販の薬剤［セボン  タンクにおくだけ  フレッシュソープつめかえ（アース製薬株式会社製）］を収容した。トイレの手洗い部を模した装置を準備し、真上から直接水が流下するように容器をセットした。また試験装置の下には、容量３リットルの流水採取用ボトルを設置した。
【００４１】
（２）試験方法
室温を２０℃に管理した室内でそれぞれの容器について、３０分に１回の割合で３リットルの水を流速３リットル／分で自動的にフラッシュするように設定し、流水採取用ボトルに溜まった流水を採取した。
【００４２】
（３）測定
各ボトルについて、薬剤に配合されている青色１号の６２９ｎｍの波長の光における吸光度を、紫外可視分光光度計を使用して測定し、吸光度を縦軸、フラッシング回数を横軸とした近似曲線のグラフを作成した。
【００４３】
（４）結果
図１０に試験結果を示す。製剤容器Ａでは、製剤容器Ｂに対して終始、吸光度が安定して増大したことが確認された。この結果から、導水部材を設けた本発明の芳香洗浄用容器では、薬剤の溶解性が向上し、固形製剤が適切な濃度で安定して溶出することが理解される。
【００４４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
例えば、上記実施形態では、製剤容器１は、上部容器５１と下部容器５２とから構成され、上下に２分割された構造であった。しかし、容器を縦に２分割された構造とすることも可能である。
【００４６】
また、製剤支持部材７や導水部材８の装備位置は、下部容器５２の内面に限らない。例えば、これらの製剤支持部材７や導水部材８は、上部容器５１の内面に一体形成するようにしても良い。導水部材８は、上記実施形態のように下部容器５２に２箇所形成することに限定されず、固形製剤２上面に給水口５１１から流下する水を安定的に供給できれば良い。例えば、容器内の透水性パッケージ３を囲むように導水部材８を設けても良い。
【００４７】
また、用途も、上記実施形態に限定するものではない。例えば、浴室や洗面所その他の水場においても、水が流下する構成を有する設備であれば、本発明の製剤容器１を応用することが可能である。また、本発明の製剤容器に収容する固形製剤も、例えばトイレ用の芳香洗浄剤に限るものではなく、用途に応じて成分を調整したものを使用することが可能である。
【符号の説明】
【００４８】
１  製剤容器
２  固形製剤
３  透水性パッケージ
４  収容空間
５  容器本体
７  製剤支持部材
８  導水部材
３１  製剤トレイ
３３  透水性シート
５１  上部容器
５２  下部容器
５１１  給水口
５２１  排水口
【図１】
2016108821.tif 000003
【図２】
2016108821.tif 000004
【図３】
2016108821.tif 000005
【図４】
2016108821.tif 000006
【図５】
2016108821.tif 000007
【図６】
2016108821.tif 000008
【図７】
2016108821.tif 000009
【図８】
2016108821.tif 000010
【図９】
2016108821.tif 000011
【図１０】
2016108821.tif 000012